(57)【要約】【課題】携帯通信機器から操作対象機器を、簡便かつ低コストに遠隔操作できるようにする。【解決手段】操作対象機器１２０自身を携帯通信機器１１０から操作するための制御用データを保持している操作対象機器１２０と携帯通信機器１１０とが近距離無線通信を行い、携帯通信機器１１０が制御用データを取得して操作対象機器１２０を遠隔操作するものであって、携帯通信機器１１０が自機器１１０の通信範囲内に操作対象機器１２０が存在するかどうか探索し、自機器１１０の通信範囲内に操作対象機器１２０が存在する場合には携帯通信機器１１０が操作対象機器１２０から制御用データを取得し、携帯通信機器１１０が、当該携帯通信機器１１０の操作部１１４からの入力信号に応じて上記取得した制御用データから所定のコマンドを、操作対象機器１２０に送信することを特徴とする。【選択図】図１
2007110629.tif 000002
【特許請求の範囲】
【請求項１】
利用者の操作に基づく入力信号を生成する操作部と、
操作対象機器自身を携帯通信機器から操作するための制御用データを保持している操作対象機器と近距離で無線通信を行う近距離無線通信部と、
前記近距離無線通信を利用して自機器の通信範囲内に存在する前記操作対象機器を探索し、前記操作対象機器から前記制御用データを取得する制御部と、
前記取得した制御用データを記憶する記憶部を有し、
前記制御部は、前記操作部からの入力信号に応じて前記記憶部に記憶されている前記制御用データから所定のコマンドを、前記近距離無線通信部から前記操作対象機器に送信する
ことを特徴とする携帯通信機器。
【請求項２】
前記制御用データは、当該携帯通信機器から前記操作対象機器を操作するためのコマンド情報が含まれるアプリケーション・ソフトウェアである
ことを特徴とする請求項１に記載の携帯通信機器。
【請求項３】
前記制御用データは、さらにユーザインターフェース情報及び／又は該ユーザインターフェース情報を補足的に説明するための情報を含む
ことを特徴とする請求項２に記載の携帯通信機器。
【請求項４】
操作可能な機器を表示する表示部を備え、
前記制御部は、当該携帯通信機器の通信範囲内に操作可能な機器が複数存在する場合、操作可能な機器の一覧を前記表示部に表示して利用者により選択された機器に対応する制御用データから所定のコマンドを前記操作対象機器に送信する
ことを特徴とする請求項１に記載の携帯通信機器。
【請求項５】
前記制御部は、前記操作対象機器のステータス情報を取得し、前記ステータス情報を前記表示部に表示する
ことを特徴とする請求項１に記載の携帯通信機器。
【請求項６】
前記制御部は、前記操作対象機器の制御用データ及び前記ステータス情報により、前記操作対象機器の状態に合わせて当該携帯通信機器の操作と前記操作対象機器の機能との対応付けを行ない、操作のためのユーザインターフェース、及び前記操作部への前記操作対象機器の機能割り当て状況を、さらに前記表示部に表示する
ことを特徴とする請求項５に記載の携帯通信機器。
【請求項７】
操作対象機器を現在選択されている機器から別の機器に切り替えた場合、切り替え前に記憶部に記憶されていた制御用データを削除する
ことを特徴とする請求項１に記載の携帯通信機器。
【請求項８】
操作対象機器自身を前記携帯通信機器から操作するための制御用データを保持している操作対象機器と携帯通信機器とが通信を行い、前記携帯通信機器が前記制御用データを取得して前記操作対象機器を遠隔操作する遠隔操作方法であって、
近距離無線通信機能を備えた携帯通信機器が近距離無線通信を利用して、自機器の通信範囲内に前記操作対象機器が存在するかどうか探索し、
自機器の通信範囲内に前記操作対象機器が存在する場合には前記携帯通信機器が前記操作対象機器から前記制御用データを取得し、
前記取得した制御用データを前記携帯通信機器に記憶し、
前記携帯通信機器が、当該携帯通信機器の操作部からの入力信号に応じて前記携帯通信機器に記憶されている前記制御用データから所定のコマンドを、前記操作対象機器に送信する
ことを特徴とする遠隔操作方法。
【請求項９】
操作対象機器自身を前記携帯通信機器から操作するための制御用データを保持している操作対象機器と携帯通信機器とが通信を行い、前記携帯通信機器が前記制御用データを取得して前記操作対象機器を遠隔操作するための遠隔操作プログラムであって、
近距離無線通信機能を備えた携帯通信機器が近距離無線通信を利用して、自機器の通信範囲内に前記操作対象機器が存在するかどうか探索する機能と、
自機器の通信範囲内に前記操作対象機器が存在する場合に前記携帯通信機器が前記操作対象機器から前記制御用データを取得する機能と、
前記取得した制御用データを前記携帯通信機器に記憶させる機能と、
前記携帯通信機器が、当該携帯通信機器の操作部からの入力信号に応じて前記携帯通信機器に記憶されている前記制御用データから所定のコマンドを、前記操作対象機器に送信する機能を
コンピュータに実現させる遠隔操作プログラム。
【発明の詳細な説明】
【技術分野】
【０００１】
本発明は、操作対象機器を例えば携帯電話端末から遠隔操作するのに好適な携帯通信機器、遠隔操作方法及び遠隔操作プログラムに関する。
【背景技術】
【０００２】
従来、家電製品の多くには赤外線を利用したリモート・コントローラ（遠隔操作装置）、所謂リモコンが付属しているが、家電製品（操作対象機器）ごとに別々のリモコンが必要なため、ユーザは複数のリモコンを使い分けなければならない。
【０００３】
この問題を解決する手段として、赤外線通信機能付きの携帯電話端末を赤外線リモコンとして使用できるアプリケーション・ソフトウェアがある。このアプリケーション・ソフトウェアはインターネットなどのネットワーク上のサーバに格納され、ユーザがこのサーバにアクセスして操作対象機器用のアプリケーション・ソフトウェアを探し出し、サーバから携帯電話端末にダウンロードして使用する。
【０００４】
特許文献１には、携帯電話端末を利用したリモコンシステムが開示されている。このリモコンシステムは、電話回線網やインターネット等の公衆通信網を介してデータセンタにアクセスし、操作対象機器の制御コード情報を携帯電話端末にダウンロードすることで、携帯電話端末から所望の操作対象機器を遠隔操作できるというものである。
【特許文献１】特開２００２−２０４２９２号公報
【発明の開示】
【発明が解決しようとする課題】
【０００５】
ところで、特許文献１に記載のリモコンシステムは、下記のような問題があった。
１．家電製品の製造業者ないし製造業者の委託を受けた業者が、データサーバを設置、運営する必要がある。
２．ユーザは操作したい機器の製造業者、型番などを調べて、上記データセンタから必要な制御データを探し出して、ダウンロードするといった手間が必要である。
３．公衆通信網を利用するため、制御コード情報のダウンロード時にコストがかかる。
【０００６】
本発明は斯かる点に鑑みてなされたものであり、携帯電話端末などの携帯通信機器から操作対象機器を、簡便かつ低コストで、遠隔操作できるようにすることを目的とする。
【課題を解決するための手段】
【０００７】
上記課題を解決するため、本発明は、操作対象機器自身を携帯通信機器から操作するための制御用データを保持している操作対象機器と携帯通信機器とが通信を行い、携帯通信機器が制御用データを取得して操作対象機器を遠隔操作するものであって、近距離無線通信機能を備えた携帯通信機器が近距離無線通信を利用して、自機器の通信範囲内に操作対象機器が存在するかどうか探索し、自機器の通信範囲内に操作対象機器が存在する場合には携帯通信機器が操作対象機器から制御用データを取得し、取得した制御用データを携帯通信機器に記憶し、そして携帯通信機器が、当該携帯通信機器の操作部からの入力信号に応じて携帯通信機器に記憶されている制御用データから所定のコマンドを、操作対象機器に送信することを特徴とする。
【０００８】
上述の構成によれば、携帯通信機器が、操作対象機器から直接、その操作対象機器の制御に必要とされる制御用データを取得することができる。これにより、利用者がインターネットなどの公衆通信網から対象機器の操作に必要な制御用データを携帯通信機器にダウンロードして取得する手間をなくすことができるとともに、公衆通信網を使用しないので低コストに抑えられる。
【発明の効果】
【０００９】
本発明によれば、携帯通信機器が、操作対象機器から直接、その操作対象機器の制御に必要とされる制御用データを取得することができるようになり、その結果、携帯通信機器から操作対象機器を、簡便かつ低コストで遠隔操作することができる。
【発明を実施するための最良の形態】
【００１０】
以下、本発明の一実施の形態について図１〜図５を参照しながら説明する。
【００１１】
図１は、本発明による携帯通信機器を適用して好適な携帯電話端末と、携帯電話端末の操作対象となりうる電子機器（以下、「操作対象機器」と称する。）の機能ブロックの例をそれぞれ示したものである。図１に示すように、携帯電話端末１１０と操作対象機器１２０との間で近距離無線通信が行われ、リモコンシステムを構成している。
【００１２】
操作対象機器の操作を行う携帯電話端末１１０は、制御部１１１、近距離無線通信部１１２、メモリ１１３、操作部１１４、表示部１１５を備えている。
【００１３】
制御部１１１は、携帯電話端末１１０に搭載されている各種デバイスを制御するものであり、例えばマイコン（マイクロ・コンピュータ）から構成される。この制御部１１１により、操作対象機器１２０からの制御データのダウンロード及び操作対象機器１２０に対する遠隔操作が制御される。
【００１４】
近距離無線通信部１１２は、例えばBluetooth（登録商標）などを用いて近距離での双方向通信が可能な通信部である。この近距離無線通信部１１２を用いて、対象機器制御用データつまりリモコン（遠隔操作）用のアプリケーション・ソフトウェア（以下、「リモコン・アプリケーション」と称する。）のプログラムコードの取得、及び対象機器の遠隔操作を行う。
【００１５】
メモリ１１３は、電話帳データやメールデータなどの各種データを記憶する、読み出し及び書き込み可能な不揮発性の記憶部として機能するものである。このメモリ１１３に、操作対象機器１２０よりダウンロードした対象機器制御用データを格納することで、次回以降の通信においてダウンロード作業を省略し、操作可能となるまでの時間を短縮する。
【００１６】
操作部１１４は、キー入力などの操作に応じた入力信号を制御部１１１に伝える。この操作部１１４は、押しボタン、ジョグダイアル、タッチパネルなど種々の態様が適用できる。
【００１７】
表示部１１５は、制御部１１１から入力される各種情報を表示する表示部であり、例えば液晶表示ディスプレイ（LCD：Liquid Crystal Display）などが適用できる。
【００１８】
一方、操作対象機器１２０は、制御部１２１、近距離無線通信部１２２、携帯電話用制御データ記憶部（以下、「制御データ記憶部」と称する。）１２３、操作対象機能１２４を備えている。
【００１９】
制御部１２１は、操作対象機器１２０に搭載されている各機能ブロックを制御するものであり、例えばマイコンから構成される。この制御部１２１により、操作対象機器１２０からの制御データのダウンロード及び操作対象機器１２０に対する遠隔操作が制御される。
【００２０】
近距離無線通信部１２２は、Bluetoothなどを用いて近距離での双方向通信が可能な通信部である。この近距離無線通信部１２２を用いて、対象機器制御用データつまりリモコン・アプリケーションのプログラムコードの取得、及び対象機器の遠隔操作を行う。
【００２１】
制御データ記憶部１２３は、読み出し可能な不揮発性の記憶部として機能するものであり、携帯電話端末１１０から操作対象機器１２０の制御を実現するためのコマンドを規定した、操作対象機器制御用データ（アプリケーション・ソフトウェア）を格納する記憶媒体である。
【００２２】
この制御用データは、携帯電話端末１１０と操作対象機器１２０が最初に接続されたときに、携帯電話端末１１０に送信される。また、この制御用データには、操作対象機器を操作するためのコマンド情報の他に、携帯電話端末１１０の表示部１１５に表示するユーザインターフェース情報や、操作説明といったインターフェース情報を補足して説明するための案内情報も含むことができる。
【００２３】
操作対象機能１２４は、携帯電話端末１１０から操作することを目的としている操作対象機器の各種機能を包括して表現したものであり、制御部１２１より制御される。操作対象機能１２４としては、例えば操作対象機器としてテレビジョン受像機（以下、「テレビ」という。）を例にとれば、電源入／切、チャンネル切り替え、音量調節、明るさ調節、コントラスト調節などが考えられる。また、音楽プレーヤであれば、電源入／切、再生、停止、順送り、逆送り、一時停止、音量調節、音質調節などが考えられ、操作対象機器ごとの種々の機能が適用される。
【００２４】
さらに操作対象機能１２４の現時点での状態を示す情報は制御部１２１に送られるようになっている。この情報は、携帯電話端末１１０へ送信され、リアルタイムで表示部１１０に表示される。
【００２５】
次に、上述したリモコンシステムを構成している、携帯電話端末１１０と操作対象機器１２０間の近距離無線接続、及び操作対象機器１２０から携帯電話端末１１０に制御用データをダウンロードするときの携帯電話端末１１０の動作を説明する。
【００２６】
図２は、携帯電話端末の動作を示したフローチャートである。このフローチャートに示す携帯電話端末１１０の動作は、制御部１１１がメモリ１１３に格納された操作対象機器１２０の制御用データ（リモコン・アプリケーション）を読み出して実行することにより実現される。
【００２７】
図２において、ユーザが対象機器操作用のアプリケーション・ソフトウェアを起動することにより携帯電話端末１１０の動作が開始される（ステップＳ２０１）。次に、近距離無線通信により通信可能な範囲に操作対象となる電子機器が存在するか否かを調べ、操作対象が存在しない場合は見つかるまで待機する（ステップＳ２０２）。
【００２８】
例えば、Bluetoothを用いて近距離無線通信を行なう場合を例に説明すると、まず携帯電話端末１１０をマスタとして機能させて、携帯電話端末１１０の近距離無線通信部１１２から所定周期でIQパケットを周囲にブロードキャストする。その周囲に「問い合わせ」の処理状態にあるスレーブ、すなわち電子機器が存在する場合、IQパケットを受信するたびに携帯電話端末１１０（マスタ）に対して電子機器（スレーブ）はその属性を伝えるために近距離無線通信部よりFHSパケットを送信する。このFHSパケットによって、マスタはスレーブの存在を知ることができる。
【００２９】
なおIQパケットとは、Bluetoothの同期確立フェーズにおける「問い合わせ」及び「呼び出し」で使用される固定長のパケットである。また、FHSパケットはマスタとスレーブ間でその同期を確立する際に送信されるパケットである。
【００３０】
図２のフローチャートの説明に戻る。ステップＳ２０２の判断処理において、制御部１１１は、操作対象となる電子機器が存在したことを検出した場合、発見された電子機器の一覧を表示部１１５に表示する（ステップＳ２０３）。
【００３１】
そして、制御部１１１は、ステップＳ２０３の処理で表示された操作可能機器の一覧からユーザが選択したものを操作対象機器と決定し、接続を確立する（ステップＳ２０４）。選択された電子機器を操作対象機器１２０として説明する。なお、この例では、接続を確立する処理及び以降のデータのやり取りはBluetoothの規格に従って行うものとしている。
【００３２】
ここで、携帯電話端末１１０のメモリ１１３内に、操作対象機器１２０の制御用データが保存されているかどうかを判定する（ステップＳ２０５）。携帯電話端末１１０のメモリ１１３内に操作対象機器１２０の制御用データが存在しない場合、選択した操作対象機器１２０より制御用データをダウンロードする（ステップＳ２０６）。ダウンロードした制御用データは、メモリ１１３に記憶する。
【００３３】
ステップＳ２０５の判断処理にてメモリ１１３内に操作対象機器１２０の制御用データが存在する場合、又はステップＳ２０６の処理にて選択した操作対象機器１２０より制御用データをダウンロードした場合には、次のステップへ移行し、携帯電話端末１１０は操作対象機器１２０の現在のステータス情報を要求し、取得する（ステップＳ２０７）。このステータス情報を調べることで、操作対象機器１２０が現在どのような状態にあるかを把握することができる。
【００３４】
制御部１１１は、操作対象機器１２０の制御用データ、及びステップＳ２０７の処理で取得したステータス情報より、操作対象機器１２０の現在の状態に合わせた携帯電話端末１１０のキー（操作部１１４の操作）と操作対象機器１２０の機能との対応付けを行なう。このとき、表示部１１５の画面上には、操作対象機器１２０のステータス情報（状態）や、操作のためのＵＩ（ユーザインターフェース）、操作部１１３への機能割り当て状況の説明などを表示する（ステップＳ２０８）。
【００３５】
以上をもって操作対象機器１２０の制御用データ取得フェーズを終了する（ステップＳ２０９）。
【００３６】
上記の制御用データ取得フェーズ終了後も、近距離無線通信により適時双方向で通信を行なうことで、操作対象機器１２０の状態と、携帯電話端末１１０の表示及びキーへの機能割り当てとを同期させることができる。
【００３７】
図３、図４及び図５は、携帯電話端末１１０における表示部１１５のイメージ（画面表示）の例を示したものである。
【００３８】
まず、携帯電話端末１１０上で、リモコン機能（リモコン・アプリケーション）を起動すると、図２を用いて説明したように、携帯電話端末１１０は通信可能な範囲に存在する操作可能な電子機器を探索し、操作対象機器の一覧を表示する。このときの操作対象機器の一覧表示を図３に示す。ここでは、一覧表示３００においてユーザがカーソル３０１を音楽プレーヤ上に移動させた例となっている。この状態で選択キー３０２を押下すると、操作対象機器として音楽プレーヤが選択される。なお、操作したい機器が一覧に表示されていない場合は、再探索キー３０３を押下すると、携帯電話端末１１０の周囲に操作可能な電子機器がないか再度探索することができる。
【００３９】
操作対象の音楽プレーヤから携帯電話端末１１０に、音楽プレーヤ制御用データ、及び音楽プレーヤのステータス情報（例えば、現在再生中の曲情報、時間情報など）がダウンロードされ、これらのデータを基に、携帯電話端末１１０画面上に図４に示すような、携帯電話端末１１０上のキーへの機能割り当て、及び曲名表示、再生時間表示などを備えた音楽プレーヤ情報が表示される。
【００４０】
この画面表示には、音楽プレーヤで再生中の曲のタイトルや再生時間が操作対象機器の動作と同期して表示される。この時点で携帯電話端末１１０から音楽プレーヤのリモコン操作（遠隔操作）が可能となり、再生、停止、曲送りなどのリモコン機能が携帯電話端末１１０上の操作部１１３のキー操作で可能になる。
【００４１】
この例では、再生中であるとして再生中画面３１０が表示されている。この中には、音楽プレーヤ情報を構成する要素として、例えば再生時間３１１、曲名３１２、アーティスト名３１３、現在使用可能なコマンドのキー割り当て３１４が表示されている。
【００４２】
キー割り当て３１４は、画面に表示された「音量大」、「音量小」、「順送り」、「逆送り」、「停止」、「再生」などのキーがあり、所望のキーをクリックすることで、音楽プレーヤを操作できる。または、表示部１１５の表示面にタッチパネルを積層し、画面上の各ボタンの該当位置に触れることにより操作できるようにしてもよい。
【００４３】
あるいは、キー割り当て３１４に表示された各キーと同様のキーを操作部１１３が有し、そのキーを指等で直接操作することで音楽プレーヤを操作するようにしてもよい。もしもキー割り当て３１４と操作部１１３のキーとの対応付けがわからない場合には、ヘルプキー３１５を操作することで、これらの対応付けを表示したり、説明を表示したりしてユーザをサポートするようにしてもよい。このとき、ユーザが操作部１１３を操作したときに現在のステータスでは使用できないコマンドを操作した場合には、「そのコマンドは使用できません」などのメッセージを、表示するようにしてもよい。そうすることで、ユーザが使用できないコマンド操作を気付かずに操作し続けることがなくなる。
【００４４】
また、機能キー３１６を操作すると、図４のキー割り当て３１４に表示し切れなかったキー、あるいは音楽プレーヤのステータスに応じて使用可能な隠れコマンドないしは使用頻度の低いキーを表示するようにしてもよい。
【００４５】
図５は、曲面編集画面の例を示したものである。携帯電話端末１１０に標準で実装されている文字入力機能を用いることにより、再生中の曲の情報を携帯電話端末１１０上で編集する、といった操作も実現できる。編集された曲情報はメモリ１１３に送信されて、音楽プレーヤ制御用データが更新される。
【００４６】
以上説明したように、本発明は携帯通信機器の一例として示した携帯電話端末１１０が、操作したい対象機器（家電製品、オーディオ機器など）から直接、その機器の制御に必要なデータ（ソフトウェア）を取得することができるので、ユーザがインターネットなどから対象機器用の操作に必要なデータや情報を探してダウンロードする、というような煩雑な操作を不要とすることができる。
【００４７】
また、携帯電話端末１１０の通信範囲内に存在する機器を探索して、それらの一覧から操作したい機器名を選ぶだけで操作対象の機器を操作することができるので、ユーザは操作対象の種類や製造業者の違いを認識することなく、リモコン操作を開始することができる。
【００４８】
また、操作対象機器の制御用データを取得する際に、携帯電話事業者の通信網を使用しないので、通信コストが掛からない。
【００４９】
また、従来のリモコン機能に加えて、携帯電話端末の表示画面上に操作対象機器の状態や、状況に応じた操作ガイドを適宜表示することができるので、ユーザにとってわかりやすく使い勝手が向上する。
【００５０】
また、図５に示したように、対象機器を操作する上で、携帯電話端末１１０等の通信機器に搭載されている日本語入力システム、あるいは電話帳に保存してある情報などを利用することができる。例えば、携帯電話端末１１０から操作対象機器の例としてカーナビゲーションをリモコン操作する場合に、カーナビゲーションシステムのポイント登録機能（電話番号等を入力することにより地図データ上にその位置が登録される）などを利用するとき携帯電話端末１１０の電話帳を利用できるので、電話番号や住所などを打ち込む手間が省けて便利である。
【００５１】
また、上述例では、操作対象機器の制御用データを携帯電話端末１１０のメモリに記憶して蓄積していくが、不要な操作対象機器制御用データは設定メニューなどで削除できるようにしてもよい。このようにすると、携帯電話端末１１０のメモリ１１３の容量を小さく抑えられる。また、同一操作対象機器の制御用データを必要であれば何度でも取得することができる。
【００５２】
なお、上記実施の形態例においては、制御用データはアプリケーション・ソフトウェアとしたが、携帯電話端末がリモコン機能に関する基本的な動作を行なうアプリケーション・ソフトウェアを予め備えており、制御用データにはコマンドやユーザインターフェース、案内情報等を定義したデータのみを含むようにしてもよい。
【００５３】
次に、本発明の他の実施の形態について説明する。
本例では、携帯電話端末１１０は、操作対象機器１２０との近距離無線通信を介して、操作対象機器名と操作対象機器制御用データのダウンロード先インターネットアドレスのみを受信する。携帯電話端末１１０は受信したインターネットアドレスに接続して、対象機器制御のための制御用データをダウンロードする。
【００５４】
これにより、携帯電話端末１１０はインターネットを利用して随時更新された制御用データを取得することができ、ユーザは常に最新の制御用データを使って操作対象機器１２０の制御を実行することができる。また、大容量の制御用データを保持する必要がないことから、操作対象機器１２０の制御用データ記憶部１２３のメモリ容量を削減することができる。
【００５５】
なお、本発明は、上述した各実施の形態例に限定されるものではなく、例えば携帯通信機器はＰＤＡ（Personal Digital Assistant）、通信機能付きゲーム機などに、また操作対象機器はエアコンなどの家電製品、ＡＶ（オーディオ・ビジュアル）製品及びカーナビゲーションシステムなどに適用でき、その他本発明の要旨を逸脱しない範囲において、種々の変形、変更が可能であることは勿論である。
【００５６】
また、上記実施の形態例における図２に示す機能が外部からインストールされるプログラムによって、携帯電話端末１１０（制御部１１１）等の携帯通信機器により遂行されていてもよい。その場合、そのプログラムを含む情報群が、フラッシュメモリ等の記憶媒体により、携帯通信機器のメモリに供給される場合でも本発明は適用されるものである。
【００５７】
さらに、前述した実施の形態例の機能を実現するソフトウエアのプログラムコードを記録した記憶媒体を、携帯通信機器に装着し、その携帯通信機器のコンピュータ（制御部１１１）が記憶媒体に格納されたプログラムコードを読出し実行することによっても、本発明の目的が達成されることは言うまでもない。
【００５８】
この場合、記憶媒体から読み出されたプログラムコード自体が本発明の新規な機能を実現することになり、そのプログラムコードを記憶した記憶媒体は本発明を構成することになる。
【００５９】
上記プログラムコードを供給するための着脱可能な記憶媒体としては、例えば、不揮発性のメモリカード，ＥＥＰＲＯＭ等を用いることができる。
【００６０】
また、コンピュータが読み出したプログラムコードを実行することにより、前述した実施の形態例の機能が実現されるだけでなく、そのプログラムコードの指示に基づき、コンピュータ上で稼働しているＯＳ（オペレーティングシステム）等が実際の処理の一部又は全部を行い、その処理によって前述した実施形態の機能が実現される場合も含まれることは言うまでもない。
【図面の簡単な説明】
【００６１】
【図１】本発明の一実施の形態に係る携帯電話端末及び操作対象機器の機能ブロックを示した図である。
【図２】本発明の一実施の形態に係る携帯電話端末の動作を示したフローチャートである。
【図３】本発明の一実施の形態に係る携帯電話端末における操作対象機器一覧表示の例を示した図である。
【図４】本発明の一実施の形態に係る携帯電話端末における再生中画面の例を示した図である。
【図５】本発明の一実施の形態に係る携帯電話端末の曲名編集画面の例を示した図である。
【符号の説明】
【００６２】
１１０…携帯電話端末、１１１…制御部、１１２…近距離無線通信部、１１３…メモリ、１１４…操作部、１１５…表示部、１２０…操作対象機器、１２１…制御部、１２２…近距離無線通信部、１２３…制御データ記憶部、１２４…操作対象機能
【図１】
2007110629.tif 000003
【図２】
2007110629.tif 000004
【図３】
2007110629.tif 000005
【図４】
2007110629.tif 000006
【図５】
2007110629.tif 000007